(57)【要約】      （修正有）【課題】複数画面を用いて１つの画像を表示させる場合においても、より一体的な表示が可能となる携帯電話機を提供すること。【解決手段】表示部３の内部には、サブＬＣＤ１５Ｌ，１５Ｒが収納されており、横方向にスライドさせて引き出すことができる。そして、サブＬＣＤ１５Ｌ，１５Ｒが収納されているときには、メインＬＣＤ６においてのみ画像表示を行い、サブＬＣＤ１５Ｌ，１５Ｒが引き出されると、メインＬＣＤ６に表示されていた画像を、メインＬＣＤ６およびサブＬＣＤ１５Ｌ，１５Ｒに一体的に表示する。【選択図】図２
2007124025.tif 000002
【特許請求の範囲】
【請求項１】
外部と通信を行う携帯電話機であって、
画像を表示する表示画面および該表示画面を囲繞する枠部を有する第１の画像表示装置と、
画像を表示する表示画面および該表示画面を囲繞する枠部を有し、前記第１の画像表示装置の背面側に隠れる位置に設けられ、前記第１の画像表示装置の表示画面横方向へスライドさせることにより引き出し可能な第２の画像表示装置と、
前記第２の画像表示装置が引き出されたときに、前記第１および第２の画像表示装置の表示画面に対して１つの画像を一体的に表示する画像表示制御部と
を有してなり、
前記第２の画像表示装置の表示画面は、引き出されたときに前記第１の画像表示装置の表示画面と並行した位置となり、前記第２の画像表示装置を最大限引き出したときでも、少なくとも前記第２の画像表示装置の枠部が、第１の画像表示装置の背面側に隠れたままの状態となる
ことを特徴とする携帯電話機。
【請求項２】
前記第２の画像表示装置が引き出されている状態を検出する検出手段を有し、
前記表示制御部は、
前記検出手段により前記第２の画像表示装置が引き出されている状態が検出されない時には、前記第１の画像表示装置のみによって画像を表示し、
前記検出手段により前記第２の画像表示装置が引き出された状態を検出した時には、前記第１の画像表示装置に表示している画像を、前記第１および第２の画像表示装置の画面に一体的に表示する
ことを特徴とした請求項１に記載の携帯電話機。
【請求項３】
前記画像表示制御部は、
前記第１の画像表示装置の表示画面を構成する各画素に対応した記憶領域を有し、該記憶領域に前記第１の画像表示装置の表示画面に表示する画像データを記憶する第１の画像記憶手段と、
前記第２の画像表示装置の表示画面を構成する各画素に対応した記憶領域を有し、該記憶領域に前記第２の画像表示装置の表示画面に表示する画像データを記憶する第２の画像記憶手段と
を具備してなり、
前記第２の画像表示装置の表示画面における縦方向の２つの辺のうち、引出方向とは反対側の辺から所定の幅を有する表示画面領域に該当する画素に対応した前記第２の画像記憶手段における記憶領域以外の記憶領域に、前記第２の画像表示装置の画面に表示する画像データを記憶させる
ことを特徴とする請求項１または２に記載の携帯電話機。
【発明の詳細な説明】
【技術分野】
【０００１】
本発明は、文字または画像を表示する画像表示装置を備えた携帯電話機に関する。
【背景技術】
【０００２】
現在、一般に広く普及している携帯電話機は、電話通信機能のみならず、インターネットアクセス機能、電子メール機能などのデータ通信端末としての機能も有している。また、デジタルカメラ機能やムービー機能を搭載し、静止画像や動画を記録できる携帯電話機も登場している。これらの機能を有する携帯電話機には、文字や画像を表示するための画像表示装置が備えられている。この画像表示装置としては、一般に液晶表示装置が用いられているが、その画面サイズは携帯電話機本体の大きさに制約されるため、２〜３インチ程度のものが主流になっている。よって、画面に表示可能な文字数や、静止画像や動画の大きさが制限され、十分な情報量を表示することが困難になっている。
【０００３】
そこで、画像表示装置の画面を大型化するための工夫を施した携帯電話機が過去において提案されている。たとえば、特許文献１には、複数台の携帯電話機が各々備えている画像表示装置の画面を、１つの画面として扱って大画面データを配信するサーバが開示されている。すなわち、当該サーバに登録されている複数台の携帯電話機の画面を一列に並べて当該サーバから配信された画像をみると、これら複数の携帯電話機の画面を一つの大きな画面とみなした画像が表示される。
【０００４】
また、特許文献２に開示されている携帯電話機では、通常時は前面表示部の背面側に位置し、前面表示部の表示内容とは独立した内容の表示を行う背面表示部をヒンジにより展開可能に支持し、背面表示部を展開したときは、前面表示部の画面と背面表示部の画面とが略同一面で左右に並んだ状態となる構造を有している。そして、背面表示部を展開した状態のときに、前面表示部と背面表示部の２つの画面を一つの画面とみなした画像表示を行うことことで、画面の大型化を実現している。
【０００５】
【特許文献１】特開２００３−５９４７
【特許文献２】特開２００５−２２３５０７
【発明の開示】
【発明が解決しようとする課題】
【０００６】
しなしながら、特許文献１に開示された方法により携帯電話機の画面に大画面画像を表示するには、複数台の携帯電話機が必要となるため、一個人が大画面画像を見るのに適しているとはいいがたい。これに対して、特許文献２に開示された携帯電話機は、１台の携帯電話機において大画面化を実現しているが、背面表示部を展開したときに、前面表示部と背面表示部の画面が略同一面で左右に並ぶ状態となるため、両画面の間において、前面表示部の枠部分と背面表示部の枠部分とが隣接することとなり、両画面の間隔が必然的に広くなってしまう。よって、携帯電話機の画面サイズを勘案すると、両画面の間隔が離れ過ぎてしまうこととなり、前面表示部と背面表示部の両画面を１つの画面とみなして１つの画像を表示させたとしても、見る者に対しては、画像が分断されているという印象を与え、一体的な表示が困難となる可能性がある。
【０００７】
そこで本発明は、複数画面を用いて１つの画像を表示させる場合においても、より一体的な表示が可能となる携帯電話機を提供することを目的としている。
【課題を解決するための手段】
【０００８】
上記の目的を達成するために、本発明は、外部と通信を行う携帯電話機であって、画像を表示する表示画面および該表示画面を囲繞する枠部を有する第１の画像表示装置と、画像を表示する表示画面および該表示画面を囲繞する枠部を有し、前記第１の画像表示装置の背面側に隠れる位置に設けられ、前記第１の画像表示装置の表示画面横方向へスライドさせることにより引き出し可能な第２の画像表示装置と、前記第２の画像表示装置が引き出されたときに、前記第１および第２の画像表示装置の表示画面に対して１つの画像を一体的に表示する画像表示制御部とを有してなり、前記第２の画像表示装置の表示画面は、引き出されたときに前記第１の画像表示装置の表示画面と並行した位置となり、前記第２の画像表示装置を最大限引き出したときでも、少なくとも前記第２の画像表示装置の枠部が、第１の画像表示装置の背面側に隠れたままの状態となることを特徴としている。
【０００９】
ここで、「少なくとも前記第２の画像表示装置の枠部」とは、第２の画像表示装置を最大限引き出した状態のときに、枠部にとどまらず、第２の画像表示装置の表示画面の一部が第１の画像表示装置の背面側に隠れたままの状態となるものも含む。また、第２の画像表示装置は１つとは限定されず、２つ設けて、第１画像表示装置の右側および左側からそれぞれ横方向へ引き出し可能にしてもよい。この場合、表示制御部は、第１の画像表示装置の画面と、２つの第２の画像表示装置の画面の、３つの画面に１つの画像を一体的に表示させることとなる。
【００１０】
上述した携帯電話によれば、第２の画像表示装置を引き出すと、第１および第２の表示画面が横に並んだ状態となり、両表示画面に対して１つの画像が一体的に表示される。また、第２の画像表示装置を引き出したときに、第２の画像表示装置の表示画面において、少なくとも第２の画像表示装置の枠部分が第１の画像表示装置の背後に隠れるため、第１および第２の画像表示装置の画面の間には、第１の画像表示装置の枠部だけが存在することとなり、両表示画面の間隔を狭くすることができる。このため、両画像表示装置の画面に１つの画像を表示する場合、より一体的な表示が可能となる。
【００１１】
また、本発明は、上記の携帯電話機において、前記第２の画像表示装置が引き出されている状態を検出する検出手段を有し、前記表示制御部は、前記検出手段により前記第２の画像表示装置が引き出されている状態が検出されない時には、前記第１の画像表示装置のみによって画像を表示し、前記検出手段により前記第２の画像表示装置が引き出された状態を検出した時には、前記第１の画像表示装置に表示している画像を、前記第１および第２の画像表示装置の画面に一体的に表示することを特徴としている。
【００１２】
上記の携帯電話機によれば、第２の画像表示装置が第１の画像表示装置の背後に隠されている状態のときに第１の画像表示装置に表示されていた画像が、第２の画像表示装置が引き出されたときに、第１および第２の画像表示装置の両表示画面に一体的に表示される。これにより、第２の画像表示装置を引き出したときの表示切替えが自動的に切り替わることとなるため、表示切替えに関する使用者の手間を軽減することができる。
【００１３】
また、本発明は、上述した各携帯電話機において、前記表示制御部は、前記画像表示制御部は、前記第１の画像表示装置の表示画面を構成する各画素に対応した記憶領域を有し、該記憶領域に前記第１の画像表示装置の表示画面に表示する画像データを記憶する第１の画像記憶手段と、前記第２の画像表示装置の表示画面を構成する各画素に対応した記憶領域を有し、該記憶領域に前記第２の画像表示装置の表示画面に表示する画像データを記憶する第２の画像記憶手段とを具備してなり、前記第２の画像表示装置の表示画面における縦方向の２つの辺のうち、引出方向とは反対側の辺から所定の幅を有する表示画面領域に該当する画素に対応した前記第２の画像記憶手段における記憶領域以外の記憶領域に、前記第２の画像表示装置の画面に表示する画像データを記憶させることを特徴としている。
【００１４】
上述した携帯電話機によれば、２の画像表示装置の表示画面における縦方向の２つの辺のうち、引出方向とは反対側の辺から所定の幅を有する表示画面領域には、画像が表示されなくなる。このため、第２の画像表示装置の最大引き出し位置を、上記画像が表示されることがない表示画面領域が第１の画像表示装置の背後に隠れる位置とすることができる。すなわち、枠部分のみが第１の画像表示装置の背後に隠れる位置を最大引き出し位置とする場合よりも、第１の画像表示装置の背後に隠れる部分を大きくすることができるため、第２の画像表示装置を支持する強度を増加させることができる。
【発明の効果】
【００１５】
本発明の携帯電話によれば、複数画面を用いて１つの画像を表示させる場合においても、より一体的な表示を行うことができる。
【発明を実施するための最良の形態】
【００１６】
以下、本発明の好適な実施の形態にかかる携帯電話機について、図面を参照しつつ説明する。以下で説明する携帯電話機は、図示せぬ基地局を介して無線により電話通信およびインターネットを介したデータ通信を行うものとする。
【００１７】
図１は、本実施の形態に係る携帯電話１の外観を示す正面図および側面図であり、（ａ）は正面図、（ｂ）は左側面図、（ｃ）は右側面図である。携帯電話１は本体部２と表示部（第１の画像表示装置）３とからなる折りたたみ式の構造になっており、図１（ａ）の正面図は、表示部３を開いた状態を示している。図１において、表示部３の図中上部には、前述した基地局とやりとりされる無線信号を送受信するアンテナ４が設けられている。また、表示部３の正面上方には、前述した基地局を介して電話通信を行う際に通信相手の音声を聞くためのスピーカ５が設けられている。スピーカ５の下側には、液晶画像表示装置（以下、メインＬＣＤという）６が設けられており、携帯電話１から電話をかけるときに入力される電話番号、携帯電話１へ電話をかけてきた相手の電話番号、インターネットを介してダウンロードした画像データ、および、送受信した電子メールの内容などを表示する。
【００１８】
本体部２には、電話番号および文字などを入力されるためのテンキー７が設けられている。テンキー７は、いわゆるプッシュホン式の電話機に備えられているキーと同様のキーで構成されており、「０」〜「９」の数字に対応する１０個のキー（以下、数字キーという）と、「＊」および「＃」の記号に対応する２つのキーの、計１２個のキーで構成されている。また、数字キーのそれぞれには、平仮名およびアルファベットが適宜対応付けられており、携帯電話１が有するアクセサリ機能を実行中に文字などを入力する際にも用いられる。テンキー７の上方には、発信キー８と終了キー９が設けられている。発信キー８は、携帯電話１にかかってきた電話を受けるとき、および、テンキー７により電話番号を入力して携帯電話１から電話をかけるときに使用する。終了キー９は、携帯電話１による通話を終了させるとき、および、携帯電話１が有する各種機能を終了させるときなどに使用する。また、終了キー９は、携帯電話１の電源スイッチも兼ねている。
【００１９】
発信キー８と終了キー９との間には、上下左右の４方向を指示可能な円板形状の多方向キー１０が設けられており、携帯電話１が有する各種機能において、メインＬＣＤ６に表示された複数の選択肢を選択する際に使用する。ここで、携帯電話１は、たとえば、スケジュール機能、アドレス帳機能、電卓機能、メモ帳機能を備えているものとする。多方向キー１０の表面には「↑」、「↓」、「→」、「←」のマークが付されており、「↑」マークの位置を押すと上方を指示することとなり、同様に、「↓」、「→」、「←」のマーク位置を押すと、それぞれ、下方、右方、左方を指示することになる。多方向キー１０の中心位置には、多方向キー１０とは独立して作動する決定キー１１が設けられており、たとえば、メインＬＣＤ６に表示された複数の選択肢のうち、多方向キー１０によって選択した内容を確定するときに使用される。発信キー８の上方には第１コマンドキー１２が、終了キー９の上方には第２コマンドキー１３が、それぞれ設けられている。これらコマンドキー１２，１３は、携帯電話１が有する各種機能を実行したときに、当該実行された機能において用いられるコマンドが適宜割り当てられる。以下では、テンキー７、発信キー８、終了キー９、多方向キー１０、決定キー１１、第１コマンドキー１２、および、第２コマンドキー１３をまとめて操作部と呼ぶこととする。テンキー７の下方には、携帯電話１において電話通信を行っているとき相手側へ送信する音声を入力するマイク１４が設けられている。
【００２０】
また、図１（ｂ），（ｃ）に示すように、表示部３内には、メインＬＣＤ６の背面側において、サブＬＣＤ１５Ｌ，１５Ｒ（第２の画像表示装置）が収納されており、サブＬＣＤ１５Ｌ，１５Ｒは、それぞれ図１（ｂ），（ｃ）の紙面手前方向（図１（ａ）においてはメインＬＣＤ６の画面、横方向）へ、手動によりスライドさせて引き出すことができるようになっている。
【００２１】
ここで図２を参照してサブＬＣＤ１５Ｌ，１５Ｒを引き出した状態について説明する。図２は、サブＬＣＤ１５Ｌ，１５Ｒを最大限引き出した状態における携帯電話機１の正面図である。この図において、図１と同じ部位については同一の符号を付し、その詳しい説明を省略する。この図に示すように、サブＬＣＤ１５Ｌ，１５Ｒを引き出すと、それぞれ枠部ＦＬに囲まれた画面１６Ｌ，１６Ｒが現れ、後述するように、メインＬＣＤ６とともに各種画像を表示する。また、サブＬＣＤ１５Ｌ，１５Ｒは、最大限引き出した状態でも破線で示す部分、すなわち、サブＬＣＤ１５Ｌ，１５Ｒの横方向において、表示部３側の辺から引き出し方向（サブＬＣＤ１５Ｌにおいては、図２中、左方向、サブＬＣＤ１５Ｒについては、図２中、右方向）に向かって所定幅ｗだけ、表示部３の内部に収納されている。したがって、サブＬＣＤ１５Ｌ，１５Ｒの画面１６Ｌ，１６Ｒの一部（同図中、ハッチングで示す部分）は、表示部３の背後に隠れており、メインＬＣＤ６の画面と、サブＬＣＤ１５Ｌ，１５Ｒの画面との間隔は、メインＬＣＤ６の枠部分の幅Ｄのみとなっている。
【００２２】
また、表示部３内には、サブＬＣＤ１５Ｌ，１５Ｒが最大限引き出されているか否かを検出する検出手段が設けられている。以下、図３を参照して、この検出手段について説明する。図３は、上述した検出手段の構造を説明するための図であり、表示部３の下側の一部を図示したものである。また、図３は、上記検出手段を図示するため、メインＬＣＤ６の一部を破断した状態を示している。なお、以下では、サブＬＣＤ１５Ｒに対応する検出手段の構造について説明するが、サブＬＣＤ１５Ｌに対応する検出手段についても、同様の構造となっている。
【００２３】
図３（ａ）において、サブＬＣＤ１５Ｒの左側底部には、バネ（図示略）により下方に向かって突出する方向に付勢された金属球ＭＢが取り付けられている。また、表示部３の内部において、サブＬＣＤ１５Ｒの収納部底面３ａ（図３（ｂ）参照）の同図中右側には、上述した金属球ＭＢと嵌合する凹部１７Ｒが形成されており、この凹部１７Ｒの斜面ｓには、図３（ｃ）に示すように、金属製の薄板からなる２つの端子１８Ｒおよび１９Ｒが設けられている。そして、図３（ｂ）に示すように、サブＬＣＤ１５Ｒが引き出され、その最大位置、すなわち、金属球ＭＢが凹部１７Ｒの位置まで来ると、バネの付勢力によって金属球ＭＢが突出し、凹部１７Ｒと嵌合する。このとき、端子１８Ｒおよび１９Ｒは金属球ＭＢによって電気的に導通し、この導通によってサブＬＣＤ１５Ｒが最大限引き出されたことを検出することが可能となる。
【００２４】
次に、図４を参照して携帯電話１の内部構成について説明する。この図において、図１に示した各部と同じ部分については、同一の符号を付し、その説明を省略する。図２において、制御部２０は、操作部７〜１３、スピーカ５、および、マイク１４を用いて行われる電話通信の制御を行うとともに、携帯電話１が有する各種機能を実現するためのプログラムを実行する。また、これらの処理に伴う視覚的情報（たとえば、画像および文字など）を、画像制御部２３を介してメインＬＣＤ６およびサブＬＣＤ１５Ｌ，１５Ｒへ表示させる。送受信部２１は、アンテナ４が前述した基地局から受信した無線信号を復調して制御部２０へ出力するとともに、制御部２０から出力された各種信号を変調し、無線信号としてアンテナ４から前述した基地局へ送信する。
【００２５】
ＥＥＰＲＯＭ（Electronically Erasable and Programmable Read Only Memory）２２は、携帯電話１が有するスケジュール機能において登録された予定に関する情報や、アドレス帳機能において登録された個人情報などを記憶する。また、この他にも、インターネットを介して取得した画像データ、および、電子メールでやり取りされた文字データなども記憶する。画像制御部２３は、制御部２０から出力された画像データに基づいて、メインＬＣＤ６およびサブＬＣＤ１５Ｌ，１５Ｒに画像を表示させる。音声制御部２４は、制御部２０から出力された音声データをアナログ音声信号に変換し、スピーカ５へ出力する。また、音声制御部２４は、マイク１４から入力された音声をデジタルデータ化し、制御部２０へ出力する。
【００２６】
さらに、制御部２０には、図３に示したサブＬＣＤ１５Ｒの最大引き出し位置を検出する接点１８Ｒ，１９Ｒが接続されている。また、同様に、サブＬＣＤ１５Ｌの最大引き出し位置を検出する接点１８Ｌ，１９Ｌも接続されている。制御部２０は、これら接点が、図３に示した金属球ＭＢにより電気的に導通したとき、それぞれ対応するサブＬＣＤが最大引き出し位置まで引き出されたことを認識する。そして、サブＬＣＤ１５Ｌまたは１５Ｒが最大引き出し位置まで引き出されたと認識した場合、引き出されたサブＬＣＤを示す信号（以下、能動ＬＣＤ信号という）を後述する画像制御部２３へ出力する。この能動ＬＣＤ信号は、いずれのサブＬＣＤも引き出されていない状態、サブＬＣＤ１５Ｌのみが引き出された状態、サブＬＣＤ１５Ｒのみが引き出された状態、双方のサブＬＣＤが引き出された状態、の４つの状態を表す信号である。
【００２７】
さらに、制御部２０は、サブＬＣＤ１５Ｌ，１５Ｒが双方とも引き出されている状態における表示態様（以下、表示モードという）を指定する信号（以下、表示モード信号という）を画像制御部２３へ出力する。上述した表示モード信号には、メインＬＣＤ６およびサブＬＣＤ１５Ｌ，１５Ｒに１つの画像を一体的に表示させる拡大表示モードと、それぞれ独立した画像をメインＬＣＤ６およびサブＬＣＤ１５Ｌ，１５Ｒへ個々に表示させる複数画面表示モードとがある。上述した２つの表示モードの切り替えは、サブＬＣＤ１５Ｌ，１５Ｒが引き出されているときにおいて、初期状態では拡張表示モードになっており、第１コマンドキー１２を１回押すごとに、複数画像表示モードと拡張表示モードとに交互に切り替えられる。
【００２８】
次に、図５を参照して、上述した画像制御部２３の詳細な構成について説明する。ビデオＲＡＭ（画像記憶手段）２５，２６，２７は、それぞれメインＬＣＤ６、サブＬＣＤ１５Ｌ、サブＬＣＤ１５Ｒの画面を構成する各画素に対応した記憶領域を有し、各ＬＣＤに表示する画像データを記憶する。ここで、上述した各ＬＣＤの画面と、各ビデオＲＡＭの記憶領域との対応について、図６を参照して説明する。図６（ａ）は、図２に示した携帯電話１の正面図のうち、表示部３の部分のみを図示したものである。また、図６（ｂ）は、ビデオＲＡＭ２５，２６，２７の記憶領域を模式的に示したものであり、ＶＭＳＬはビデオＲＡＭ２６、ＶＭＭはビデオＲＡＭ２５、ＶＭＳＲはビデオＲＡＭ２７の記憶領域を示している。
【００２９】
図６（ａ）において、メインＬＣＤ６およびサブＬＣＤ１５Ｌ，１５Ｒは、いずれも縦方向にｍ個、横方向にｎ個の画素を有している。そして、ビデオＲＡＭ２５，２６，２７は、それぞれ対応するＬＣＤの画面を構成する各画素に対応する記憶領域を有している。ただし、携帯電話１では、サブＬＣＤ１５Ｌ，１５Ｒを最大限引き出したときに、図６（ａ）においてハッチングで示す部分は表示部３内に収納されている。よって、サブＬＣＤ１５Ｌ，１５Ｒの各画面において、２つの縦方向の辺のうち、引出方向Ａとは反対側の辺ＰＳから所定の幅ｘを有する画面領域（すなわち、図６（ａ）のハッチング部分）は、使用者には見えない領域となっている。このため、サブＬＣＤ１５Ｌに対応するビデオＲＡＭ２６、および、サブＬＣＤ１５Ｒに対応するビデオＲＡＭ２７の各記憶領域のうち、上述した使用者には見えない画面領域における画素に対応する記憶領域（図６（ｂ）のハッチングで示す部分）には、画像データが書き込まれることはなく、読み出されることもない。
【００３０】
また、前述したように、メインＬＣＤ６の画面と、サブＬＣＤ１５Ｌ，１５Ｒの画面との間隔は、表示部３の枠部分の幅Ｄのみとなっており、この幅Ｄは、メインＬＣＤ６およびサブＬＣＤ１５Ｌ，１５Ｒの画素ピッチを考慮すると、画素数ｄに相当するものとする。よって、メインＬＣＤ６およびサブＬＣＤ１５Ｌ，１５Ｒを１つのＬＣＤとみなした表示を行う場合、表示制御部３１は、縦方向の画素数がｍ、横方向の画素数がＮ＝ｎ＋２（ｎ−ｘ）＋２ｄの画面に対して画像を表示する表示制御を行う。
【００３１】
図５に戻り、画像縮小部２８，２９，３０は、それぞれビデオＲＡＭ２５，２６，２７に対応して設けられており、後述する表示制御部３１から供給された画像データを、対応するビデオＲＡＭの記憶領域（ただし、ビデオＲＡＭ２６の記憶領域ＶＭＳＬおよびビデオＲＡＭ２７の記憶領域ＶＭＳＲについては、図６（ｂ）に示すハッチング部分を除く）に収まるように縮小してから、対応するビデオＲＡＭに書き込む。なお、画像の縮小は、たとえば、従来から周知のニアレストネイバー法、バイリニア法、バイキュービック法による縮小や、アフィン変換を行うことにより実現可能である。よって、表示制御部３１から供給された描画データによって表される画像の大きさが、対応するＬＣＤの画面サイズを超えていた場合は、当該ＬＣＤの画面サイズに縮小されて表示される。表示制御部３１は、制御部２０から出力された画像データを、制御部２０から出力された能動サブＬＣＤ信号の内容に応じて画像縮小部２８，２９，３０へ出力し、もしくは、ビデオＲＡＭ２５，２６，２７へ書き込む。また、表示制御部３１は、ビデオＲＡＭ２５，２６，２７に書き込まれた画像データをそれぞれ対応するＬＣＤへ出力させる。
【００３２】
次に図７を参照して、表示制御部３１による画像表示制御の内容について説明する。図７は表示制御部３１により実行される画像表示制御の流れをフローチャートである。表示制御部３１は、制御部２０から画像データ、能動ＬＣＤ信号、および、表示モード信号のいずれかが出力されると、その時点における能動ＬＣＤ信号の内容を認識し、サブＬＣＤ１５Ｌ，１５Ｒが双方とも最大限引き出されているか否かを判断する（ステップＳ１）。もし、サブＬＣＤ１５Ｌ，１５Ｒが双方とも最大限引き出されていなかった場合、判断結果がＮＯとなり、画像縮小部２８へ、すなわちメインＬＣＤ６に対応する画像縮小部２８へ、画像データを出力する（ステップＳ１）。
【００３３】
これにより、画像縮小部２８は、表示制御部３１から供給された画像データを縮小し、ビデオＲＡＭ２５への書き込みアドレスを順次出力して縮小した画像データをビデオＲＡＭに書き込む。そして、ビデオＲＡＭ２５への画像データの書き込みが完了すると、表示制御部３１は、ビデオＲＡＭ２５に対して読み出しアドレスを順次出力し、ビデオＲＡＭ２５に書き込まれた画像データをメインＬＣＤ６へ出力させる。
【００３４】
一方、ステップＳ１において、サブＬＣＤ１５Ｌ，１５Ｒが双方とも最大限引き出されていた場合、判断結果がＹＥＳとなり、現在の表示モードが拡大表示モードなのか、複数画像表示モードなのかを表示モード信号に基づいて判断する（ステップＳ３）。そして、拡大表示モードでない、換言すると、複数画像表示モードであった場合は、判断結果がＮＯとなり、画像縮小部２８，２９，３０に対して、それぞれ画像データを出力する（ステップＳ４）。これにより、画像縮小部２８，２９，３０は、それぞれ表示制御部３１から供給された画像データを対応するＬＣＤの画面サイズに合わせて縮小し、順次対応するビデオＲＡＭに対して書き込みアドレスを出力して縮小した画像データを書き込む。そして、各ビデオＲＡＭへの画像データの書き込みが完了すると、画像縮小部２８，２９，３０は、それぞれ対応するビデオＲＡＭに対して順次読み出しアドレスを出力し、対応するビデオＲＡＭに書き込まれた画像データをそれぞれ対応するＬＣＤへ出力させる。
【００３５】
また、前述したステップＳ３において、現在の表示モードが拡大表示モードであった場合は、判断結果がＹＥＳとなり、表示制御部３１は、メインＬＣＤ６およびサブＬＣＤ１５Ｌ，１５Ｒを１つのＬＣＤとみなして、各ＬＣＤに対して順次アドレスデータを発生し、制御部２０から供給された画像データをビデオＲＡＭ２５，２６，２７のそれぞれに書き込む。そして、当該画像データの書き込みが完了すると、ビデオＲＡＭ２５，２６，２７に対して順次読み出しアドレスを出力し、各ビデオＲＡＭに書き込まれた画像データをそれぞれ対応するＬＣＤへ出力させる。
【００３６】
次に、上述した画像表示制御により、図８〜図１０を参照してメインＬＣＤ６、または、メインＬＣＤ６およびサブＬＣＤ１５Ｌ，１５Ｒに表示される画像の表示態様について説明する。ここで、図８は、図７に示す画像表示制御において、サブＬＣＤ１５Ｌ，１５Ｒが表示部３に収納されているとき（図７，ステップＳ１，ＮＯ）に、ステップＳ２の処理によりメインＬＣＤ６に表示される画像の一例を示す図である。この場合において、たとえば、制御部２０から表示制御部３１に対して図８（ａ）に示す縦ｍ画素数、横Ｎ画素数に相当する画像データが出力されたとすると、表示制御部３１は、当該画像データを画像縮小部２８へ出力する。画像縮小部２８では、入力された画像データの横方向の大きさを、メインＬＣＤ６の画面における横方向のサイズに合わせて縮小し、ビデオＲＡＭ２５へ書き込み、メインＬＣＤ６へ表示させる。これにより、図８（ｂ）に示すように、メインＬＣＤ６には、図８（ａ）の画像データの横方向が縮んだ画像が表示される。ここで、図８（ｂ）に示す表示画面において、右下に示されているマークＭは、メインＬＣＤ６に表示されている画像が圧縮されていることを示すためのものであり、このマークＭの画像データは、画像縮小部２８により、ビデオＲＡＭ２５に書き込まれるものである。
【００３７】
また、図９は、図７に示す画像表示制御において、サブＬＣＤ１５Ｌ，１５Ｒが引き出されており（図７，ステップＳ１，ＹＥＳ）、かつ、拡大表示モードが指定されている（図７，ステップＳ３，ＹＥＳ）ときに、ステップＳ５の処理によりメインＬＣＤ６およびサブＬＣＤ１５Ｌ，１５Ｒに表示される画像の一例を示す図である。この場合において、たとえば、制御部２０から表示制御部３１に対して図８（ａ）と同様の縦ｍ画素数、横Ｎ画素数に相当する画像データ（図９（ａ）参照）が出力されたとすると、表示制御部３１は、図９（ｂ）に示すように、当該画像データのうち、画像領域アの画像データをビデオＲＡＭ２６の記憶領域ＶＭＳＬのうち、図９（ｂ）に示すハッチング部分以外の記憶領域に書き込み、画像領域イの画像データをビデオＲＡＭ２５の記憶領域ＶＭＭに書き込み、画像領域ウの画像データをビデオＲＡＭ２７の記憶領域ＶＭＳＲのうち、図９（ｂ）に示すハッチング部分以外の記憶領域にそれぞれ書き込む。そして、各々の画像データの書込みが完了すると、表示制御部３１は、各ビデオＲＡＭに対して順次読出しアドレスを出力する。これにより、図９（ｃ）に示すように、図９（ａ）の画像データがメインＬＣＤ６およびサブＬＣＤ１５Ｌ，１５Ｒにおいて一体的に表示される。
【００３８】
さらに、図１０は、図７に示す画像表示制御において、サブＬＣＤ１５Ｌ，１５Ｒが引き出されており（図７，ステップＳ１，ＹＥＳ）、かつ、複数画面表示モードが指定されている（図７，ステップＳ３，ＮＯ）ときに、ステップＳ４の処理によりメインＬＣＤ６およびサブＬＣＤ１５Ｌ，１５Ｒに表示される画像の一例を示す図である。この場合において、たとえば、制御部２０から表示制御部３１に対して図１０（ａ）に示すように、縦ｍ×３画素数、横Ｎ画素数に相当する画像データが出力されたとすると、表示制御部３１は、当該画像データを縦方向においてｍ画素数分ずつ分割して画像領域カ，キ，クに分け、画像領域カに対応する画像データを画像縮小部２９へ、画像領域キに対応する画像データを画像縮小部２８へ、画像領域クに対応する画像データを画像縮小部３０へ、それぞれ出力する。各画像縮小部２８，２９，３０では、入力された画像データの横方向の大きさを、それぞれ対応するＬＣＤの画面における横方向のサイズに合わせて縮小する。そして、それぞれ対応するビデオＲＡＭへ書き込み、各ＬＣＤへ表示させる。これにより、図１０（ｂ）に示すように、サブＬＣＤ１５Ｌの画面１６Ｌには、図１０（ａ）に示す画像データのうち、画像領域カに対応する画像が、横方向において縮小された状態で表示される。また、メインＬＣＤ６の画面には、図１０（ａ）に示す画像データのうち、画像領域キに対応する画像が、横方向において縮小された状態で表示される。さらに、サブＬＣＤ１５Ｒの画面１６Ｒには、図１０（ａ）に示す画像データのうち、画像領域クに対応する画像が、横方向において縮小された状態で表示される。また、図１０（ｂ）に示すように、メインＬＣＤ６およびサブＬＣＤ１５Ｌ，１５Ｒの各画面右下側には、各画面に表示されている画像が圧縮されていることを示すマークＭが表示される。このマークＭの画像データは、画像縮小部２８，２９，３０により、それぞれビデオＲＡＭ２５，２６，２７に書き込まれるものである。
【００３９】
以上説明したように、本実施の形態による携帯電話機によれば、サブＬＣＤ１５Ｌ，１５Ｒを最大限引き出したときでも、各サブＬＣＤの一部が表示部３内に収納されている状態になっているので、サブＬＣＤ１５Ｌ，１５Ｒを支持する強度が増すことになる。また、メインＬＣＤ６の画面と、サブＬＣＤ１５Ｌ，１５Ｒの各画面１６Ｌ，１６Ｒとの間隔が、メインＬＣＤ６の枠部分の幅Ｄのみとなるため、各画面の間隔を狭めることができる。このため、メインＬＣＤ６およびサブＬＣＤ１５Ｌ，１５Ｒにより１つの画像を表示させた場合でも、より一体感のある画像表示が可能となる。また、たとえば、図８（ｂ）に示すように、メインＬＣＤ６のみに画像表示しているときに、サブＬＣＤ１５Ｌ，１５Ｒが引き出されると、制御部２０はその旨を示す能動ＬＣＤ信号を出力する。これにより、表示制御部３１は図７に示す画像表示制御をあらためて実行し、たとえば、表示モード信号が拡大表示モードを示していた場合は、図８（ｂ）に示す画像表示を、図９（ｃ）に示す画像表示に切り替える。このため、サブＬＣＤ１５Ｌ，１５Ｒを引き出したときに、画像表示を切り替えるための操作が不要となり、使用者の手間が軽減される。
【００４０】
なお、図２に示した、サブＬＣＤ１５Ｌ，１５Ｒを最大限引き出した状態のときに、表示部３内に収納された状態のままとなる所定幅ｗは、サブＬＣＤ１５Ｌ，１５Ｒの支持強度を保つことができれば、たとえば、図１１に示すように、少なくとも、サブＬＣＤ１５Ｌ，１５Ｒの表示部３側における枠ＦＬ部分（非表示領域）が表示部３内に収納されていればよい。また、本実施の形態では、メインＬＣＤ６の画面サイズと、サブＬＣＤ１５Ｌ，１５Ｒの画面サイズを同一にしていたが、両者の画面サイズは必ずしも同一である必要はない。たとえば、メインＬＣＤ６の画面とサブＬＣＤ１５Ｌ，１５Ｒの画面における縦方向の長さは同じでも、横方向の長さはメインＬＣＤ６よりもサブＬＣＤ１５Ｌ，１５Ｒの方を短くするなどして、サブＬＣＤ１５Ｌ，１５Ｒの画面をメインＬＣＤ６の画面よりも小さくしてもよい。また、たとえば図８を参照して説明したように、ＬＣＤの画面サイズを超える大きさの画像データを表示する場合、当該ＬＣＤの画面サイズに合わせて画像データを縮小させていたが、代わりに、画像データのサイズを縮小せずに、スクロール可能に表示させるようにしてもよい。また、本実施の形態では、サブＬＣＤ１５Ｌ，１５Ｒを双方とも引き出したときに、拡大表示モードまたは複数画面表示モードによる表示を可能としたが、サブＬＣＤ１５Ｌまたは１５Ｒのいずれか一方が引き出されたときに、メインＬＣＤ６とともに、２つのＬＣＤにより、拡大表示モードまたは複数画面表示モードによる表示を行うようにしてもよい。さらに、携帯電話１にデジタルカメラ機能を持たせ、当該デジタルカメラ機能により撮影された画像を、上述した各表示形態で表示させるようにしてもよい。
【図面の簡単な説明】
【００４１】
【図１】本発明の実施の形態における携帯電話機の外観を示す正面図および側面図である。
【図２】同携帯電話機の内部に収納されたサブＬＣＤを引き出した状態を示す正面である。
【図３】同サブＬＣＤが引き出された状態を検出する検出手段の構成を説明するための説明図である。
【図４】本発明の実施の形態における携帯電話機の内部構成を示すブロック図である。
【図５】同携帯電話機の内部ハードウェア構成の一部である画像制御部の詳細な構成を示すブロック図である。
【図６】同携帯電話機が備えている各ＬＣＤに対応するビデオＲＡＭの有効記憶領域について説明するための説明図である。
【図７】同携帯電話機における画像表示制御の処理内容を示すフローチャートである。
【図８】同携帯電話機における画像表示態様の一例を説明するための説明図である。
【図９】同携帯電話機における画像表示態様の一例を説明するための説明図である。
【図１０】同携帯電話機における画像表示態様の一例を説明するための説明図である。
【図１１】同携帯電話機におけるサブＬＣＤの最大引き出し量についての別の形態を示す正面図である。
【符号の説明】
【００４２】
１  携帯電話
３  表示部
６  液晶画像表示装置
１５Ｌ，１５Ｒ  サブＬＣＤ
１８Ｌ，１８Ｒ，１９Ｌ，１９Ｒ  端子
２０  制御部
２３  画像制御部
２５，２６，２７  ビデオＲＡＭ
３１  表示制御部
【図１】
2007124025.tif 000003
【図２】
2007124025.tif 000004
【図３】
2007124025.tif 000005
【図４】
2007124025.tif 000006
【図５】
2007124025.tif 000007
【図６】
2007124025.tif 000008
【図７】
2007124025.tif 000009
【図８】
2007124025.tif 000010
【図９】
2007124025.tif 000011
【図１０】
2007124025.tif 000012
【図１１】
2007124025.tif 000013